(57)【要約】      （修正有）【課題】容易に組み立て・解体が可能で強固であって、また、必要床面積に応じ建造できる物置又は小部屋を提供する。【解決手段】柱材に開けたナット穴１１１、１１２に、座金付ナット１２１を挿入固定すると共に外側の板材０と柱材１０をビス１４１で固定して壁パネルを構成し、該壁パネルを別に作成したボルト穴１１３を開けた枠にボルト１３１で内側から座金付ナットに締め付け固定する事で容易に組み立て、逆の手順で解体できる物置又は小部屋である。また、必要とする床面積の方形の枠を作成し、壁パネルを必要な大きさ・枚数を準備しボルトで枠と固定する事により任意の大きさに構成した。【選択図】図５
0003199156.tif 000002
【実用新案登録請求の範囲】
【請求項１】
柱材に開けたナット穴に、座金付ナットを挿入固定すると共に外側の板材と柱材をビスで固定して壁パネルを構成し、該壁パネルを別に作成したボルト穴を開けた枠にボルトで内側から座金付ナットに締め付け固定する事で容易に組み立て、逆の手順で解体できる物置又は小部屋。
【請求項２】
必要とする床面積の方形の枠を作成し、壁パネルを必要な大きさ・枚数準備しボルトで枠と固定する事により任意の大きさに構成した請求項１記載の物置又は小部屋。
【考案の詳細な説明】
【技術分野】
【０００１】
本考案は、柱材と板で構成された壁パネルを別に作成した枠にボルトで固定することにより容易に組み立て、解体できる物置又は小部屋に関する。
【背景技術】
【０００２】
従来の木製物置や小部屋は多種多様な工法で構成されている。
【０００３】
しかしながら、下記特許文献１〜３に示すように解体・再組み立てが出来ない物、あるいはＤＩＹ（Ｄｏ  Ｉｔ  Ｙｏｕｒｓｅｌｆ）が困難な物、また、ＤＩＹが可能でも素人に不向きな物、更に強度に疑問が有る物等であった。
【先行技術文献】
【特許文献】
【０００４】
【特許文献１】特開２０１１−１６９０９６号公報
【特許文献２】特開２０１２−２２５０２９号公報
【特許文献３】実用新案登録第３１９５０９５号公報
【考案の概要】
【考案が解決しようとする課題】
【０００５】
本考案は、以上のような欠点に鑑み、容易に組み立て・解体が可能で強固な物置又は小部屋等を提供する事を目的としている。
また、本考案は、必要床面積に応じ建造できる物置又は小部屋を提供する事を目的としている。
【課題を解決するための手段】
【０００６】
上記目的を達成するために、本考案は柱材に開けたナット穴に、座金付ナットを挿入固定すると共に外側の板材と柱材をビスで固定して壁パネルを構成し、該壁パネルを別に作成したボルト穴を開けた枠にボルトで内側から座金付ナットに締め付け固定する事で容易に組み立て、逆の手順で解体できる物置又は小部屋である。
また、必要とする床面積の方形の枠を作成し、壁パネルを必要な大きさ・枚数準備しボルトで枠と固定する事により任意の大きさに構成した請求項１記載の物置又は小部屋である。
【考案の効果】
【０００７】
以上の説明から明らかなように、本考案にあっては次に列挙する効果が得られる。
（１）柱材に穴を開け、座金付ナットを挿入固定し外側の板と柱材をビスで固定した壁パネルを別に作成したボルト穴を開けた枠にボルトで内側から座金付ナットに締め付け固定する事で容易に組み立て、逆の手順で解体できる物置又は小部屋である。したがって移動・再組み立てが可能でＤＩＹが容易にできる。
【０００８】
（２）前記（１）の枠の大きさに合わせて、壁パネルの大きさ・枚数を増減する事により任意の大きさの物置又は小部屋が建造できる。
【図面の簡単な説明】
【０００９】
【図１】本考案を実施する最良の形態を示し、（１）は壁パネルの分解斜視図であり、（２）は（１）の組み付け図である。
【００１０】
【図２】本考案を実施する最良の形態を示し、（１）は図１に於いて屋根の傾斜を出すために上部を傾斜させた壁パネルの分解斜視図である。（２）は（１）の組み付け図である。
【００１１】
【図３】本考案を実施する最良の形態を示し、（１）は屋根パネルの分解斜視図である。（２）は（１）の組み付け図である。
【００１２】
【図４】上下枠の斜視図である。
【００１３】
【図５】枠と壁パネルの締め付け固定の断面図である。
【００１４】
【図６】壁パネルの板を省略した全体の斜視図である。
【考案を実施するための形態】
【実施例】
【００１５】
以下、本考案を実施するための形態を図に基づいて説明する。
【００１６】
図１に示すように、柱材１１に座金付ナット１２１を埋め込む穴（ナット穴）１１１及び１１２を開け座金付ナットを挿入固定する。これと補強材１２及びボルト穴１１３を開けた屋根受け材２２を板材１にビスで固定する。これを横壁パネルの基本形１ａとする。必要に応じ壁パネルを増やし、それぞれ１ｂ，１ｃ等とする（図６参照）。
【００１７】
図２に示すように、図１と同様に柱材１３，１４に座金付ナット１２１を埋め込む穴１１１及び１１２を開け座金付ナットを挿入固定する。この時屋根の傾斜に合わせて柱材１３，１４の長さを調節する。さらに、屋根受け材２３に屋根を固定するための座金付ナットを挿入固定する穴１１１及び１１２を開け座金付ナットを挿入固定する。これらと補強材１５を板材２にビスで固定する。これを後方の壁パネルの基本形２ａとし、反対側の壁パネルは向きを反対とし２ｂとする（図６参照）。更に枠を広げる時は２ａと２ｂの間に同様にして壁パネルを増加させる。また、前方の壁パネルも開口部の大きさに合わせて２ａ，２ｂと同様に作成し２ｅ，２ｄとする。
【００１８】
図３に示すように、壁パネルと同様に柱材５１に座金付ナット１２１を埋め込む穴１１１及び１１２を開け座金付ナットを挿入固定する。さらに、柱材５２及び５３に壁パネル及び対側の屋根パネルとボルトで固定するための穴１１３を開ける。これらを屋根板（板材）３にビスで固定する。これを屋根パネル３ａとする。
【００１９】
図４に示すように、別に作成する枠１００及び１０１は必要な物置の床面積に応じて長さを調整した枠木３１，３２及び３３、４１，４２及び３３で構成され、壁パネルの座金付ナットにそれぞれ対応するようボルト穴１１３を開けておき、それぞれの枠木をビスや補強金具で固定し、方形の枠１００及び１０１を作成する。また、枠の大きさによっては枠の中に必要に応じて補強材等を固定する。
【００２０】
図５に壁パネルと枠及び屋根パネルと屋根受け材の接合方法を示す。壁パネルと屋根パネルは、穴１１１と１１２を開けた柱材１０に座金付ナット１２１を挿入固定する。更に、板材０をビス１４１で固定する。この事により座金付ナットが抜ける事を防止し、露出しないようにする。これを壁及び屋根パネルとする。枠３０又は屋根受け材２０は穴１１３を開け、ボルト１３１を座金１５１と穴１１３を通して座金付ナット１２１とで締め付け固定する。
【００２１】
図６に物置又は小屋の板を省略し破線で表した全体図を示す。これは物置の一例である。壁パネル１ａの板材１の幅は両サイド共、柱材１１より外側に１１の厚さの２倍プラス板材１の厚さ分だけはみ出させビス止めする。屋根受け材２２は板材１の端より屋根材５１の厚さ分下に、屋根の傾斜に合わせてビス止めする。また、補強材１２を柱材１１の間に入れビス止めする。壁パネル１ｂの板材１は壁パネル１ａ側を柱１１の中央を端とし、反対側は１ａと同様にする。１ｂと同様にして１ｃ、１ｄ、・、・、・を作り繋げると建造物の大きさを広げることが出来、枠の大きさに応じてサイズを変える事が出来る。
【００２２】
壁パネル２ａは台形で板材２を柱材１３（短辺）の端より柱一本分の幅だけ外側にはみ出させ、反対側は柱材１４（長辺）の端より柱材５３の厚さ分だけ板材２をはみ出させてビス止めする。その外側に屋根材５３の厚さの２倍の柱材１６をビス止めし、この柱材上側を柱材５３が載るように長さを調節する。また、屋根の傾斜角に合わせて屋根受け材２３を取り付け、板材２も同じ高さと傾斜でビス止めする。壁パネル２ｂは板材２を柱材１４（長辺）から柱材１６の幅の２分の１外側にはみ出し、反対側の柱材１３（短辺）から柱材１本分の幅だけ外側にはみ出させビス止めする。この時、板材２は２ａと反対方向に取り付ける。これを物置の背面とする。枠の大きさに応じて２ａ・２ｂの大きさを変化させる。又は、２ａと２ｂの間に壁パネルを増設し、更に大きいサイズとする事も出来る。前側の壁パネルは開口部（ドア）の大きさにより変化し、２ｃは板材２を柱材１３（短辺）より柱材一本分の幅だけ外側にはみ出させビス止めし、反対側は柱材１４（長辺）に揃えてビス止めする。２ｄも同様にして作成し、前パネル２ｃ・２ｄとする。開口部（ドア）の上部には壁パネル２ｅを作成する。前面及び背面のパネルの屋根の頂点部分は柱材５２の端が乗るように形成する。それぞれのパネルを図５の要領で枠に固定する。これに屋根パネル３ａ，３ｂを載せ図５の要領で固定する。更に、屋根パネル３ａと３ｂの柱材５２に開けたボルト穴１１３にボルト１３１を通してお互いを締め固定する。
【産業上の利用可能性】
【００２３】
本考案は任意の柱材と板で構成された壁パネル及び屋根パネルを別に作成した枠及び壁パネルにボルトで固定することにより容易に組み立て、解体できる物置及び小部屋を製造する産業で利用される。更に、枠の大きさ（床面積）によっては、柱材の変更で更に大きな建造物の建築も可能となり、柱材の内速に壁を張り、内・外側の板材の間及び床下・屋根裏に断熱材を入れ、壁パネルに窓を形成すれば簡易な小屋（部屋）とすることも可能。
【符号の説明】
【００２４】
１ａ，１ｂ，２ａ，２ｂ，２ｅ  壁パネル
３ａ，３ｂ  屋根パネル
１００，１０１  枠
１１１，１１２  座金付ナット埋め込み穴（ナット穴）
１１３  ボルト穴
１２１  座金付ナット
【図１】
0003199156.tif 000003
【図２】
0003199156.tif 000004
【図３】
0003199156.tif 000005
【図４】
0003199156.tif 000006
【図５】
0003199156.tif 000007
【図６】
0003199156.tif 000008